(57)【要約】【課題】光ディスクの面方向に略沿った移動に与える影響を抑制しつつ光ディスクに対する光ピックアップの位置を調整できるディスク装置の提供。【解決手段】ディスク装置に、ピックアップボディ３０１の移動をガイドする第１ガイドシャフト２４１および第２ガイドシャフト２４２と、これら第１ガイドシャフト２４１および第２ガイドシャフト２４２を光ディスクに対して接離可能に保持するシャフト位置調整機構２４３と、移動用モータ２５０と、第１駆動伝達部３１２および第２駆動伝達部３１３をピックアップボディ３０１に連結する連結部３１１と、を設けた。連結部３１１の弾性変形による付勢力で、第１駆動伝達部３１２および第２駆動伝達部３１３を、モータ軸部材２５１におけるその軸よりも光ディスク側の第１位置および光ディスクと反対側の第２位置にそれぞれ押し付ける状態で設けた。【選択図】図２
2008251068.tif 000002
【特許請求の範囲】
【請求項１】
ディスク状の記録媒体に記録された情報を処理する光ピックアップを前記記録媒体の面方向に略沿って移動させるピックアップ移動装置であって、
前記光ピックアップを保持するピックアップボディと、
このピックアップボディの前記面方向に略沿った移動経路の両側縁側に設けられ、前記ピックアップボディの前記移動をガイドする一対のガイド部材と、
これら一対のガイド部材のうち少なくともいずれか一方を前記記録媒体に対して接離可能に、前記一対のガイド部材を保持するガイド保持部と、
棒状のモータ軸部材、および、このモータ軸部材における軸方向の一端側に設けられ前記モータ軸部材を軸方向に振動させる軸振動部を備えた移動用モータと、
共振する材料により形成された一対の駆動伝達部と、
弾性変形可能な構成を有し、前記弾性変形による付勢力で前記一対の駆動伝達部を前記モータ軸部材におけるその軸よりも前記記録媒体側の第１位置および前記記録媒体と反対側の第２位置にそれぞれ押し付ける状態で、前記ピックアップボディおよび前記一対の駆動伝達部を連結する連結部と、
を具備したことを特徴としたピックアップ移動装置。
【請求項２】
請求項１に記載のピックアップ移動装置であって、
前記弾性変形可能な材料により略板状に形成され、前記連結部および前記一対の駆動伝達部を有する駆動伝達連結部材を具備し、
前記連結部は、前記ピックアップボディに取り付けられる取付部と、この取付部の一縁における異なる位置に一体的に設けられ前記取付部の外側に向けて舌片状に突出する一対の舌片部と、を備え、
前記一対の駆動伝達部は、前記一対の舌片部にそれぞれ一連に、かつ、前記第１位置およびこの第１位置と前記モータ軸部材の軸方向に沿った位置が異なる前記第２位置にそれぞれ押し付けられる状態で設けられた
ことを特徴としたピックアップ移動装置。
【請求項３】
請求項２に記載のピックアップ移動装置であって、
前記取付部は、前記ピックアップボディに取り付けられる取付基部と、この取付基部に略対向する位置に設けられ前記一対の舌片部が設けられる舌片配設部と、ねじれ可能な構成を有し前記取付基部および前記舌片配設部を連結するねじれ連結部と、を備えた
ことを特徴としたピックアップ移動装置。
【請求項４】
請求項３に記載のピックアップ移動装置であって、
前記取付部は、開口形成された連結孔部を有する略板状に形成され、
前記取付基部および前記舌片配設部は、前記連結孔部の周縁を構成する部分のうち略対向する一対の部分であり、
前記ねじれ連結部は、前記連結孔部の周縁を構成する部分のうち他の略対向する一対の部分である
ことを特徴としたピックアップ移動装置。
【請求項５】
請求項３に記載のピックアップ移動装置であって、
前記取付部は、平面視で略Ｈ字状の略板状に形成され、
前記取付基部および前記舌片配設部は、前記略Ｈ字状を構成する部分のうち平行に設けられた一対の部分であり、
前記ねじれ連結部は、前記略Ｈ字状を構成する部分のうち前記一対の部分を連結する部分である
ことを特徴としたピックアップ移動装置。
【請求項６】
請求項１に記載のピックアップ移動装置であって、
前記連結部は、ねじれ可能な構成を有する
ことを特徴としたピックアップ移動装置。
【請求項７】
請求項１ないし請求項６のいずれかに記載のピックアップ移動装置であって、
前記連結部は、略等しいばね定数に基づく付勢力で前記一対の駆動伝達部を前記モータ軸部材に押し付ける状態で前記連結する
ことを特徴としたピックアップ移動装置。
【請求項８】
ディスク状の記録媒体を保持するターンテーブルと、
このターンテーブルで保持された前記記録媒体に記録された情報を処理する光ピックアップと、
この光ピックアップを前記記録媒体の面方向に略沿って移動させる請求項１ないし請求項７のいずれかに記載のピックアップ移動装置と、
を具備したことを特徴としたディスク装置。
【発明の詳細な説明】
【技術分野】
【０００１】
本発明は、光ピックアップを記録媒体の面方向に略沿って移動させるピックアップ移動装置、および、ディスク装置に関する。
【背景技術】
【０００２】
従来、記録媒体に記録された情報を読み取るディスク装置が知られている。（例えば、特許文献１および特許文献２参照）。
【０００３】
特許文献１に記載のものは、一端側がピエゾ素子に固定されるとともに他端側が支持部材に軸径方向にがたが生じない状態で保持されたロッドと、このロッドを摩擦連結面と板ばねとで摩擦保持する光学ピックアップと、を備えた構成がとられている。
【０００４】
特許文献２に記載のものは、溝が設けられたリードスクリュと、このリードスクリュの溝に係合するラックが取り付けられるとともに光ヘッドが搭載されたキャリッジと、ラックに取り付けられた永久磁石と、を備えている。そして、永久磁石が磁性材で作られたリードスクリュに引き寄せられる磁気による押圧力により、ラックの歯をリードスクリュの溝に押さえつけて、隙間なく入り込ませる構成が採られている。
【０００５】
【特許文献１】特開２００３−３１７４１０号公報
【特許文献２】特開平９−１２０６４９号公報
【発明の開示】
【発明が解決しようとする課題】
【０００６】
しかしながら、特許文献１および特許文献２のような構成では、一方向からの付勢力によりロッドを保持したり、リードスクリュの溝に入り込ませたりしているため、記録媒体に対する光ピックアップの位置を調整する際に、ロッドやリードスクリュに対する付勢力が変化してしまい、光ピックアップを保持する構成の移動に大きな影響を与えてしまうおそれがある。
【０００７】
本発明は、記録媒体の面方向に略沿った移動に与える影響を抑制しつつ記録媒体に対する光ピックアップの位置を調整可能なピックアップ移動装置、および、ディスク装置を提供することを１つの目的とする。
【課題を解決するための手段】
【０００８】
請求項１に記載の発明は、ディスク状の記録媒体に記録された情報を処理する光ピックアップを前記記録媒体の面方向に略沿って移動させるピックアップ移動装置であって、前記光ピックアップを保持するピックアップボディと、このピックアップボディの前記面方向に略沿った移動経路の両側縁側に設けられ、前記ピックアップボディの前記移動をガイドする一対のガイド部材と、これら一対のガイド部材のうち少なくともいずれか一方を前記記録媒体に対して接離可能に、前記一対のガイド部材を保持するガイド保持部と、棒状のモータ軸部材、および、このモータ軸部材における軸方向の一端側に設けられ前記モータ軸部材を軸方向に振動させる軸振動部を備えた移動用モータと、共振する材料により形成された一対の駆動伝達部と、弾性変形可能な構成を有し、前記弾性変形による付勢力で前記一対の駆動伝達部を前記モータ軸部材におけるその軸よりも前記記録媒体側の第１位置および前記記録媒体と反対側の第２位置にそれぞれ押し付ける状態で、前記ピックアップボディおよび前記一対の駆動伝達部を連結する連結部と、を具備したことを特徴としたピックアップ移動装置である。
【０００９】
請求項８に記載の発明は、ディスク状の記録媒体を保持するターンテーブルと、このターンテーブルで保持された前記記録媒体に記録された情報を処理する光ピックアップと、この光ピックアップを前記記録媒体の面方向に略沿って移動させる請求項１ないし請求項７のいずれかに記載のピックアップ移動装置と、を具備したことを特徴としたディスク装置である。
【発明を実施するための最良の形態】
【００１０】
〔ディスク装置の構成〕
まず、本発明の一実施形態に係るディスク装置を図面に基づいて説明する。
図１は、本発明の一実施形態に係るディスク装置の内部構成を示す平面図である。図２は、ディスク処理部の概略構成を示す斜視図である。図３は、ディスク処理部の概略構成を示す正面図である。図４は、ディスク処理部の概略構成を示す側面図である。
【００１１】
図１において、１００は、ディスク装置であり、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体１１０を備えている。
【００１２】
ケース体１１０は、底部側の下ケース１１１と天面側の図示しない上ケースとにより構成され、内部に空間を有する略四角箱状に形成されている。このケース体１１０は、一面側に開口部１１２を有している。そして、ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスク装置１００の動作の制御などを実施する図示しない制御回路部とが設けられている。
【００１３】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。また、トレイ１２１には、化粧板１２２側の一端部から円弧状凹部１２３の略中心に向かってディスク処理部２００が設けられている。
【００１４】
レール部１３０は、ケース体１１０の開口部１１２からトレイ１２１の進退方向に沿って配設され、トレイ１２１の両側面に沿って設けられている。このレール部１３０は、ケース体１１０に固定される一対のレール１３１と、トレイ１２１に摺動可能に設けられるレールガイド１３２と、を備えている。
【００１５】
レール１３１は、開口部１１２の左右両端からケース体１１０の奥側に向かって延出して形成されている。これらのレール１３１は、互いに対向する面が開口する断面略コ字状の凹溝を備えて形成され、この凹溝にそれぞれレールガイド１３２が摺動自在に支持されている。また、レール１３１には、図示しない摺動規制部が設けられており、レールガイド１３２の摺動範囲を規制している。すなわち、レール１３１の摺動規制部は、開口部１１２側にレールガイド１３２が移動した際に、レールガイド１３２が凹溝から外れて抜け落ちるのを防止している。
【００１６】
レールガイド１３２は、トレイ１２１の両側面にそれぞれ設けられており、前述したように、レール１３１の凹溝に摺動可能に保持されている。また、レールガイド１３２は、トレイ１２１に対して摺接自在に取り付けられている。また、トレイ１２１には、図示しない移動規制部が設けられており、この移動規制部によりレールガイド１３２は摺動範囲を規制され、トレイ１２１がレールガイド１３２からの抜け落ちを防止している。
【００１７】
トレイ部１２０に設けられたディスク処理部２００は、図１ないし図４に示すように、例えば金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側にディスク回転駆動手段２２０が配設されている。
【００１８】
ディスク回転駆動手段２２０は、図示しないスピンドルモータと、このスピンドルモータの出力軸に一体的に設けられたターンテーブル２２１と、を備えている。スピンドルモータは、制御回路部に制御可能に接続され、制御回路部から供給される電力により駆動する。ターンテーブル２２１は、トレイ１２１の略中心部に設けられるとともに光ディスクを回転可能に保持する。
【００１９】
また、台座部２１０には、処理移動手段２３０が配設されている。この処理移動手段２３０は、ガイド部２４０と、移動用モータ２５０と、などを備えている。
ガイド部２４０は、軸方向が台座部２１０の長手方向に略沿う状態で設けられたガイド部材としての第１ガイドシャフト２４１と、処理開口部２１１を介して第１ガイドシャフト２４１と平行に配設されたガイド部材としての第２ガイドシャフト２４２と、第１ガイドシャフト２４１および第２ガイドシャフト２４２のそれぞれの両端側に設けられたガイド保持部としての４個のシャフト位置調整機構２４３と、を備えている。
【００２０】
第１ガイドシャフト２４１は、第２ガイドシャフト２４２よりも短い丸棒状に形成されている。
【００２１】
シャフト位置調整機構２４３は、第１ガイドシャフト２４１および第２ガイドシャフト２４２を、ターンテーブル２２１で保持された光ディスクに対して接離可能に保持する。そして、シャフト位置調整機構２４３は、一面が閉塞された略四角筒状の支持部２４３Ａと、この支持部２４３Ａの開口された面を閉塞する蓋部２４３Ｂと、を備えている。
支持部２４３Ａは、閉塞された一面が台座部２１０に取り付けられている。また、支持部２４３Ａの内部には、図示しないコイルばねが嵌合されている。さらに、支持部２４３Ａの対向する一対の側面には、第１ガイドシャフト２４１や第２ガイドシャフト２４２の端部が嵌合される軸係合開口部２４３Ａ１が設けられている。
蓋部２４３Ｂの略中央には、止めねじ２４３Ｃが適宜蓋部２４３Ｂを貫通可能に螺合されている。
そして、シャフト位置調整機構２４３は、第１ガイドシャフト２４１や第２ガイドシャフト２４２の端部が軸係合開口部２４３Ａ１に係合されるとともに、コイルばねおよび止めねじ２４３Ｃで狭持される状態で設けられることにより、第１ガイドシャフト２４１および第２ガイドシャフト２４２を光ディスクに対して接離可能に保持する。すなわち、第１ガイドシャフト２４１および第２ガイドシャフト２４２は、止めねじ２４３Ｃの螺合状態が適宜調整されることにより、光ディスクに対する距離や軸方向が調整される。
【００２２】
移動用モータ２５０は、モータ軸部材２５１と、軸振動部としてのピエゾモータ部２５２と、を備えている。
【００２３】
モータ軸部材２５１は、例えばカーボングラファイトなどにより丸棒状に形成されている。このモータ軸部材２５１は、第２ガイドシャフト２４２の近傍に、この第２ガイドシャフト２４２と平行に配設されている。具体的には、モータ軸部材２５１は、台座部２１０に切り起こし形成された第１モータ軸支持部２１２に設けられた軸嵌合部２１２Ａの第１支持孔部２１２Ａ１と、第２モータ軸支持部２１３の第２支持孔部２１３Ａとに、両端側が挿通されて、軸方向に振動可能に支持されている。
ピエゾモータ部２５２は、モータ軸部材２５１における第１モータ軸支持部２１２で支持された側の端部に設けられている。このピエゾモータ部２５２は、図示しない電圧印加部により印加される電圧によりモータ軸部材２５１を軸方向に伸縮させて振動させ、後述するピックアップボディ３０１を移動させる。
【００２４】
さらに、台座部２１０には、処理移動手段２３０に支持された情報処理部３００が配設されている。
この情報処理部３００は、第１ガイドシャフト２４１および第２ガイドシャフト２４２間に架橋する状態で設けられた略長方形板状のピックアップボディ３０１を備えている。このピックアップボディ３０１の長手方向の一縁には、第１ガイドシャフト２４１が係合可能な断面コ字状のガイドシャフト係合部３０２が設けられている。
また、ピックアップボディ３０１の長手方向の他縁には、第２ガイドシャフト２４２が挿通可能なシャフト軸受孔３０３Ａを有する２個のガイドシャフト受部３０３が設けられている。
すなわち、ピックアップボディ３０１は、移動経路の両側縁側に設けられた第１ガイドシャフト２４１および第２ガイドシャフト２４２により、ガイドされつつ移動する。
さらに、ピックアップボディ３０１には、一面３０１Ａから臨む状態で光ピックアップ３０４が配設されている。この光ピックアップ３０４は、光ディスクの記録面に記録された各種情報を読み取って出力回路部へ出力する読取処理や、各種情報を記録面に記録する記録処理を実施する。
【００２５】
また、ピックアップボディ３０１における２個のガイドシャフト受部３０３の間には、駆動伝達連結部材３１０が設けられている。この駆動伝達連結部材３１０は、共振する材料である金属製の板ばねにより構成されている。そして、駆動伝達連結部材３１０は、板ばねを加工することにより設けられた、連結部３１１と、第１駆動伝達部３１２と、第２駆動伝達部３１３と、を備えている。
【００２６】
連結部３１１は、取付部３１１Ａと、第１舌片部３１１Ｂと、第２舌片部３１１Ｃと、を備えている。
具体的には、取付部３１１Ａは、１個の角部が切り欠かれた略長方形板状に形成された取付基部３１１Ａ１と、この取付基部３１１Ａ１と対向する位置に設けられた舌片配設部３１１Ａ２と、取付基部３１１Ａ１の一縁における両端側から取付基部３１１Ａ１の面外方向に突出する状態で設けられ取付基部３１１Ａ１および舌片配設部３１１Ａ２を連結する一対のねじれ連結部３１１Ａ３と、を備えている。これら取付基部３１１Ａ１、舌片配設部３１１Ａ２、および、一対のねじれ連結部３１１Ａ３は、例えば板ばねに、打ち抜き加工などにより略長方形状に開口形成された連結孔部３１１Ａ５を設けることにより形成される。また、一対のねじれ連結部３１１Ａ３は、取付基部３１１Ａ１および舌片配設部３１１Ａ２の面方向を異ならせるようにねじれ可能な形状に形成されている。
【００２７】
第１舌片部３１１Ｂおよび第２舌片部３１１Ｃは、取付部３１１Ａの舌片配設部３１１Ａ２の一縁における異なる位置に、取付部３１１Ａの面外方向に向けて舌片状に突出する状態で一連に設けられている。また、第１舌片部３１１Ｂは、取付部３１１Ａとのなす角度が鈍角となる状態に折曲形成されている。さらに、第２舌片部３１１Ｃは、取付部３１１Ａとのなす角度が鈍角となる状態に第１舌片部３１１Ｂと逆方向に折曲形成されている。そして、第１舌片部３１１Ｂおよび第２舌片部３１１Ｃは、略等しい形状に形成され、ばね定数が等しい値に設定されている。
第１駆動伝達部３１２は、第１舌片部３１１Ｂに取付部３１１Ａと略平行となる状態に一連に折曲形成されている。また、第２駆動伝達部３１３は、第２舌片部３１１Ｃに取付部３１１Ａと略平行となる状態に一連に折曲形成されている。
【００２８】
そして、駆動伝達連結部材３１０は、ねじ３１９により取付基部３１１Ａ１がピックアップボディ３０１の一面３０１Ａに面接触する状態で設けられる。また、第１駆動伝達部３１２は、接触面３１２Ａがモータ軸部材２５１における光ディスクからの距離が最も短い第１位置に線接触する状態で設けられる。さらに、第２駆動伝達部３１３は、接触面３１３Ａがモータ軸部材２５１における光ディスクからの距離が最も長く、かつ、軸に沿った位置が第１位置と異なる第２位置に線接触する状態で設けられる。このとき、第１舌片部３１１Ｂおよび第２舌片部３１１Ｃは、第１駆動伝達部３１２および第２駆動伝達部３１３が互いに遠ざかる状態に弾性変形させられる。これにより、第１駆動伝達部３１２および第２駆動伝達部３１３は、第１舌片部３１１Ｂおよび第２舌片部３１１Ｃの弾性変形による付勢力でモータ軸部材２５１に押し付けられる。すなわち、第１駆動伝達部３１２および第２駆動伝達部３１３は、モータ軸部材２５１におけるその軸よりも光ディスク側の第１位置、および、光ディスクと反対側の第２位置にそれぞれ押し付けられる状態で設けられる。
【００２９】
また、台座部２１０の上面側には、図１に示すように、ＴＭカバー部材２９０が設けられている。
このＴＭカバー部材２９０は、例えばアルミなどの軽量金属により形成され、処理移動手段２３０、情報処理部３００の一部を覆う状態に台座部２１０に固定されている。
そして、ＴＭカバー部材２９０は、光ピックアップ３０４の移動経路、すなわちターンテーブル２２１の径方向に沿って処理開口部２９１が設けられている。この処理開口部２９１により、光ピックアップ３０４が光ディスクの記録面に対向し、記録面に所定波長の光を射出可能となっている。
【００３０】
なお、ガイド部２４０と、移動用モータ２５０と、ピックアップボディ３０１と、駆動伝達連結部材３１０と、にて、本発明のピックアップ移動装置が構成されている。
【００３１】
〔ディスク装置の動作〕
次に、ディスク装置１００の動作について説明する。
【００３２】
（情報処理部の移動処理）
まず、ディスク装置１００の動作として、処理移動手段２３０による情報処理部３００の移動処理について説明する。
【００３３】
まず、ディスク装置１００の制御回路部は、例えば光ディスクに記録された情報の処理が終了した後に、処理移動手段２３０を制御して、情報処理部３００を所定の位置へ移動させる。
具体的には、制御回路部は、電圧印加部を制御して、処理移動手段２３０を構成するピエゾモータ部２５２に高周波の電圧を印加させる。
ピエゾモータ部２５２は、電圧が印加されると、この印加された電圧に対応した状態でモータ軸部材２５１を軸方向に伸縮させて振動させる。
モータ軸部材２５１に接触する第１駆動伝達部３１２および第２駆動伝達部３１３は、モータ軸部材２５１が振動すると、この振動により共振して、モータ軸部材２５１の軸方向に略沿って移動する。そして、第１駆動伝達部３１２および第２駆動伝達部３１３の移動に伴い、情報処理部３００を構成するピックアップボディ３０１は、第１ガイドシャフト２４１および第２ガイドシャフト２４２にガイドされつつ所定の位置まで移動する。
【００３４】
（光ピックアップの位置調整処理時における動作）
次に、ディスク装置１００の動作として、光ピックアップ３０４の位置調整処理時における動作について説明する。
図５は、ピックアップボディが平行移動する前のモータ軸部材に加わる付勢力の状態を説明するための図である。図６は、ピックアップボディが平行移動した後のモータ軸部材に加わる付勢力の状態を説明するための図である。図７は、ピックアップボディが面方向を変えて移動する前のモータ軸および第１，第２駆動伝達部の接触状態を示す模式図である。図８は、ピックアップボディが面方向を変えて移動した後のモータ軸および第１，第２駆動伝達部の接触状態を示す模式図である。図９は、取付基部および舌片配設部の連結部分をねじることができない構成におけるピックアップボディが面方向を変えて移動した後のモータ軸および第１，第２駆動伝達部の接触状態を示す模式図である。
【００３５】
まず、例えば、ディスク装置１００の製造者は、ターンテーブル２２１で保持された光ディスクに対して光ピックアップ３０４の位置を調整する必要があると判断した場合、４個のシャフト位置調整機構２４３の止めねじ２４３Ｃの螺合状態を独立的に適宜調整する。
止めねじ２４３Ｃの螺合状態が調整されると、第１ガイドシャフト２４１や第２ガイドシャフト２４２の端部が台座部２１０に対して接離する方向（以下、高さ方向）と称す）へ移動して、ピックアップボディ３０１は、高さ方向へ移動する。
【００３６】
そして、ピックアップボディ３０１が平行移動した場合、モータ軸部材２５１および駆動伝達連結部材３１０の接触状態は、以下のようになる。
すなわち、ピックアップボディ３０１の移動前の状態が、図５に示すように、モータ軸部材２５１および第２ガイドシャフト２４２の高さ方向に略沿った距離（以下、高さ方向距離と称す）がＤ１であり、モータ軸部材２５１に加わる付勢力が、第１駆動伝達部３１２による付勢力のＦａ１と、第２駆動伝達部３１３による付勢力のＦｂ１と、の和であるＦ１であったとする。
そして、ピックアップボディ３０１が光ディスクに近づく方向へ平行移動して、第２ガイドシャフト２４２および駆動伝達連結部材３１０が図５に示す矢印Ｙ１の方向へ移動すると、図６に示すように、モータ軸部材２５１および第２ガイドシャフト２４２の高さ方向距離がＤ１よりも短いＤ２となり、モータ軸部材２５１に加わる付勢力が、第１駆動伝達部３１２による付勢力のＦａ２と、第２駆動伝達部３１３による付勢力のＦｂ２と、の和であるＦ２になる。
ここで、上述したように、第１駆動伝達部３１２および第２駆動伝達部３１３が光ディスクからの距離が最も短い第１位置および最も長い第２位置に線接触し、かつ、第１舌片部３１１Ｂおよび第２舌片部３１１Ｃのばね定数が等しい値に設定されている。このため、ピックアップボディ３０１の平行移動前後でのモータ軸部材２５１に加わる付勢力は、ともにＦ１となる。
【００３７】
また、ピックアップボディ３０１が面方向を変えて移動した場合、モータ軸部材２５１および駆動伝達連結部材３１０の接触状態は、以下のようになる。
すなわち、ピックアップボディ３０１の移動前の状態が、図７に示すように、モータ軸部材２５１および第２ガイドシャフト２４２の軸が略平行であり、第１駆動伝達部３１２の接触面３１２Ａおよび第２駆動伝達部３１３の接触面３１３Ａがモータ軸部材２５１に線接触しているとする。このとき、取付基部３１１Ａ１および舌片配設部３１１Ａ２の面方向が等しくなり、一対のねじれ連結部３１１Ａ３にねじれが生じていない。
そして、ピックアップボディ３０１が面方向を変える状態で移動して、第２ガイドシャフト２４２および駆動伝達連結部材３１０が図７に示す矢印Ｙ２の方向へ回転すると、取付基部３１１Ａ１および舌片配設部３１１Ａ２の面方向を異ならせるように一対のねじれ連結部３１１Ａ３がねじれ、図８に示すように、接触面３１２Ａおよび接触面３１３Ａがモータ軸部材２５１に線接触した状態は、維持される。
ここで、一対のねじれ連結部３１１Ａ３を設けずに、取付基部３１１Ａ１および舌片配設部３１１Ａ２の連結部分をねじることができない構成にした場合、図９に示すように、接触面３１２Ａおよび接触面３１３Ａは、モータ軸部材２５１に点接触する状態になる。
【００３８】
〔ディスク装置の作用効果〕
上述したように、上記実施形態では、ディスク装置１００に、ピックアップボディ３０１の移動をガイドする第１ガイドシャフト２４１および第２ガイドシャフト２４２と、これら第１ガイドシャフト２４１および第２ガイドシャフト２４２を光ディスクに対して接離可能に保持するシャフト位置調整機構２４３と、移動用モータ２５０と、第１駆動伝達部３１２および第２駆動伝達部３１３をピックアップボディ３０１に連結する連結部３１１と、を設けている。そして、連結部３１１を弾性変形可能な材料により構成し、この連結部３１１の弾性変形に伴う付勢力で、第１駆動伝達部３１２および第２駆動伝達部３１３を、モータ軸部材２５１におけるその軸よりも光ディスク側の第１位置および光ディスクと反対側の第２位置にそれぞれ押し付ける状態で設けている。
このため、シャフト位置調整機構２４３を操作することにより、ピックアップボディ３０１の位置が調整されたとしても、この調整前後で第１駆動伝達部３１２および第２駆動伝達部３１３によるモータ軸部材２５１に対する付勢力を略等しくすることができる。したがって、移動用モータ２５０の駆動によるピックアップボディ３０１の移動に与える影響を抑制しつつ、光ピックアップ３０４の位置を適切に調整することができる。
また、ピックアップボディ３０１を所望の位置に調整することができるので、光ピックアップ３０４で光ディスクに記録された情報を適切に読み取ったり、光ディスクに情報を適切に記録したりすることができる。
【００３９】
そして、連結部３１１、第１駆動伝達部３１２、および、第２駆動伝達部３１３を、板ばねで形成された駆動伝達連結部材３１０で一体的に構成している。
このため、部品点数を減らすことができ、ディスク装置１００の組み立てを容易にできる。
【００４０】
さらに、連結部３１１の取付部３１１Ａに、ねじれ可能な構成を有し取付基部３１１Ａ１および舌片配設部３１１Ａ２を連結するねじれ連結部３１１Ａ３を設けている。
このため、ピックアップボディ３０１が面方向を変えて移動した場合であっても、ねじれ連結部３１１Ａ３がねじれることにより、接触面３１２Ａおよび接触面３１３Ａがモータ軸部材２５１に線接触した状態を維持することができる。したがって、移動用モータ２５０の駆動によるピックアップボディ３０１の移動に与える影響をより抑制できる。
【００４１】
そして、板ばねに連結孔部３１１Ａ５を設け、この連結孔部３１１Ａ５の周縁を構成する一対の部分を一対のねじれ連結部３１１Ａ３として機能させている。
このため、例えば打ち抜き加工などで連結孔部３１１Ａ５を開口形成するだけの簡単な構成で、ねじれ連結部３１１Ａ３を設けることができ、駆動伝達連結部材３１０の製造性を向上できる。
【００４２】
また、第１舌片部３１１Ｂおよび第２舌片部３１１Ｃのばね定数を、等しい値に設定している。
このため、ピックアップボディ３０１を移動させた際の付勢力の変動を最小限に抑えることができる。
【００４３】
〔実施形態の変形〕
なお、本発明は、上述した一実施形態に限定されるものではなく、本発明の目的を達成できる範囲で以下に示される変形をも含むものである。
【００４４】
すなわち、第１位置および第２位置を、光ディスクからの距離が最も短い位置や光ディスクからの距離がもっとも長い位置に設定しなくてもよい。例えば、モータ軸部材２５１の軸を挟んだ対称の位置に設けない構成としてもよい。
【００４５】
そして、連結部３１１と、第１駆動伝達部３１２および第２駆動伝達部３１３と、を別体で構成してもよい。このような別体で設ける構成の場合、第１駆動伝達部３１２および第２駆動伝達部３１３に付勢力を加える際には、その付勢力を加える手段として、コイルばねやゴムなどの弾性変形を利用してもよい。また、第１駆動伝達部３１２および第２駆動伝達部３１３を、モータ軸部材２５１の軸方向に沿った位置が略等しい第１位置および第２位置に接触させる構成としてもよい。
【００４６】
さらに、連結孔部３１１Ａ５を設けない構成、すなわちねじれ連結部３１１Ａ３を設けない構成としてもよい。
また、取付基部３１１Ａ１と、舌片配設部３１１Ａ２と、ねじれ連結部３１１Ａ３と、を別体で構成してもよい。
【００４７】
そして、第１駆動伝達部３１２および第２駆動伝達部３１３と、ピックアップボディ３０１と、をねじれ可能かつ弾性変形可能な材料、例えば金属板や樹脂板などにより形成された連結部で連結する構成としてもよい。
【００４８】
さらに、図１０に示すような駆動伝達連結部材４１０を適用してもよい。
この図１０に示す駆動伝達連結部材４１０は、共振する材料である金属製の板ばねにより構成されている。そして、駆動伝達連結部材４１０は、板ばねを加工することにより設けられた、連結部４１１と、第１駆動伝達部３１２と、第２駆動伝達部３１３と、を備えている。また、連結部４１１は、取付部４１１Ａと、第１舌片部３１１Ｂと、第２舌片部３１１Ｃと、を備えている。さらに、取付部４１１Ａは、略長方形板状に形成された取付基部４１１Ａ１と、舌片配設部４１１Ａ２と、取付基部４１１Ａ１の一縁における略中央から面外方向に突出する状態で設けられ取付基部４１１Ａ１および舌片配設部４１１Ａ２を連結する１個のねじれ連結部４１１Ａ３と、を備えている。これら取付基部４１１Ａ１、舌片配設部４１１Ａ２、および、ねじれ連結部４１１Ａ３は、平面視でＨ字形状に形成された板ばねにより構成される。また、ねじれ連結部４１１Ａ３は、取付基部４１１Ａ１および舌片配設部４１１Ａ２の面方向を異ならせるようにねじれ可能な形状に形成されている。
このような構成にしても、上述した駆動伝達連結部材３１０と同様の作用効果を奏することができる。
【００４９】
また、第１ガイドシャフト２４１および第２ガイドシャフト２４２のうち、いずれか一方のみの位置を調整可能な構成としてもよい。
さらに、ピエゾモータ部２５２の代わりに、モータ軸部材２５１を軸方向に振動させる他の構成を適用してもよい。
【００５０】
その他、本発明の実施の際の具体的な構造および手順は、本発明の目的を達成できる範囲で他の構造などに適宜変更できる。
【００５１】
〔実施形態の効果〕
上述したように、上記実施形態では、ディスク装置１００に、ピックアップボディ３０１の移動をガイドする第１ガイドシャフト２４１および第２ガイドシャフト２４２と、これら第１ガイドシャフト２４１および第２ガイドシャフト２４２を光ディスクに対して接離可能に保持するシャフト位置調整機構２４３と、移動用モータ２５０と、第１駆動伝達部３１２および第２駆動伝達部３１３をピックアップボディ３０１に連結する連結部３１１と、を設けている。そして、連結部３１１を、弾性変形に伴う付勢力で、第１駆動伝達部３１２および第２駆動伝達部３１３をモータ軸部材２５１の第１位置および第２位置にそれぞれ押し付ける状態で設けている。
このため、シャフト位置調整機構２４３を操作することにより、ピックアップボディ３０１の位置が調整されたとしても、この調整前後で第１駆動伝達部３１２および第２駆動伝達部３１３によるモータ軸部材２５１に対する付勢力を略等しくすることができる。したがって、移動用モータ２５０の駆動によるピックアップボディ３０１の移動に与える影響を抑制しつつ、光ピックアップ３０４の位置を適切に調整することができる。
また、ピックアップボディ３０１を所望の位置に調整することができるので、光ピックアップ３０４で光ディスクに記録された情報を適切に読み取ったり、光ディスクに情報を適切に記録したりすることができる。
【図面の簡単な説明】
【００５２】
【図１】本発明の一実施形態に係るディスク装置の内部構成を示す平面図である。
【図２】前記一実施形態におけるディスク処理部の概略構成を示す斜視図である。
【図３】前記一実施形態におけるディスク処理部の概略構成を示す正面図である。
【図４】前記一実施形態におけるディスク処理部の概略構成を示す側面図である。
【図５】前記一実施形態におけるピックアップボディが平行移動する前のモータ軸部材に加わる付勢力の状態を説明するための図である。
【図６】前記一実施形態におけるピックアップボディが平行移動した後のモータ軸部材に加わる付勢力の状態を説明するための図である。
【図７】前記一実施形態におけるピックアップボディが面方向を変えて移動する前のモータ軸および第１，第２駆動伝達部の接触状態を示す模式図である。
【図８】前記一実施形態におけるピックアップボディが面方向を変えて移動した後のモータ軸および第１，第２駆動伝達部の接触状態を示す模式図である。
【図９】取付基部および舌片配設部の連結部分をねじることができない構成におけるピックアップボディが面方向を変えて移動した後のモータ軸および第１，第２駆動伝達部の接触状態を示す模式図である。
【図１０】本発明の他の実施形態に係る駆動伝達連結部材の概略構成を示す平面図である。
【符号の説明】
【００５３】
１００…ディスク装置
２２１…ターンテーブル
２４０…ピックアップ移動装置を構成するガイド部
２４１，２４２…ガイド部材としての第１，第２ガイドシャフト
２４３…ガイド保持部としてのシャフト位置調整機構
２５０…ピックアップ移動装置を構成する移動用モータ
２５１…モータ軸部材
２５２…軸振動部としてのピエゾモータ部
３０４…光ピックアップ
３０１…ピックアップ移動装置を構成するピックアップボディ
３１０，４１０…ピックアップ移動装置を構成する駆動伝達連結部材
３１１，４１１…連結部
３１１Ａ，４１１Ａ…取付部
３１１Ａ１，４１１Ａ１…取付基部
３１１Ａ２，４１１Ａ２…舌片配設部
３１１Ａ３，４１１Ａ３…ねじれ連結部
３１１Ａ５…連結孔部
３１１Ｂ，３１１Ｃ…第１，第２舌片部
３１２，３１３…第１，第２駆動伝達部
【図１】
2008251068.tif 000003
【図２】
2008251068.tif 000004
【図３】
2008251068.tif 000005
【図４】
2008251068.tif 000006
【図５】
2008251068.tif 000007
【図６】
2008251068.tif 000008
【図７】
2008251068.tif 000009
【図８】
2008251068.tif 000010
【図９】
2008251068.tif 000011
【図１０】
2008251068.tif 000012